(57)【要約】【課題】  図柄に立体感や、ぼかしを入れることのできるパイル織物地を提供すること。【解決手段】  たて糸１３によこ糸１４を浮沈させながら交錯させた地組織１５に、パイル糸１６を絡ませて生地１２を構成した。そして、その生地１２を染料２４を用いて捺染することにより図柄１１を有するパイル織物地１０に形成した。また、パイル糸１６をよこ糸１４と同方向に設けられた綿糸で構成し、たて糸１３をポリエステル繊維と綿とを混紡した糸で構成するとともに、よこ糸１４をポリエステル繊維で構成した。そして、染料２４を、ポリエステル繊維を染色でき、綿を染色できない分散染料で構成した。【選択図】  図１
2005076156.tif 000002
【特許請求の範囲】
【請求項１】
たて糸によこ糸を浮沈させながら交錯させた地組織にパイル糸を絡ませて生地を構成し、その生地に所定の染料を用いて捺染することにより図柄を形成したパイル織物地であって、
前記染料を、前記たて糸と前記よこ糸とに対して染色性を有し、前記パイル糸に対しては染色性を有しないもので構成したことを特徴とするパイル織物地。
【請求項２】
前記たて糸と前記よこ糸とをポリエステル繊維で構成するとともに、前記パイル糸を綿糸で構成し、前記染料を分散染料で構成した請求項１に記載のパイル織物地。
【請求項３】
前記たて糸または前記よこ糸を、前記染料によって染色される繊維と染料されない繊維とを混紡した糸で構成した請求項１に記載のパイル織物地。
【請求項４】
前記パイル糸を前記よこ糸と同方向に設けられた綿糸で構成し、前記たて糸をポリエステル繊維と綿とを混紡した糸で構成するとともに、前記よこ糸をポリエステル繊維で構成し、前記染料を分散染料で構成した請求項３に記載のパイル織物地。
【請求項５】
前記パイル糸が防水加工を施されて染色性を失ったものである請求項１に記載のパイル織物地。
【発明の詳細な説明】
【技術分野】
【０００１】
本発明は、たて糸とよこ糸とからなる地組織にパイル糸を織り合わせて構成した生地を捺染することによりその表面に図柄を形成したパイル織物地に関する。
【背景技術】
【０００２】
従来から、たて糸によこ糸を浮沈させながら交錯させた地組織に、パイル糸を絡ませたパイル織物地が用いられている。このようなパイル織物地の表面に図柄を形成する場合には、パイル織物地を製織したのちに染料を用いて捺染することが行われている。そして、この捺染方法としては、コストが比較的安くすむスクリーン捺染法やジェット捺染法が一般的に採用されている。しかしながら、このような捺染方法では、比較的簡単に複雑な図柄を形成することができるが、立体感を出したり、ぼかしたりして風合をかもし出した図柄を形成することはできなかった。このため、染色性のことなる２種類以上のパイル糸を用いて、染色されたパイル糸と染色されていないパイル糸とで図柄を形成する捺染方法も開発されている（例えば、特許文献１参照。）。
【０００３】
この捺染方法では、綿からなるタフト刺基布に、アクリル繊維からなるパイル糸とポリエステル繊維からなるパイル糸を混在植設させてパイル生地を構成している。そして、染料として、例えば、塩基性染料を用いている。これによると、アクリル繊維からなるパイル糸だけを染色することができ、ポリエステル繊維からなるパイル糸は染色せず原糸の色を維持させることができる。これによって、染色された部分と染色されない部分とが絡まって興趣に富む図柄を形成することができる。
【特許文献１】特開平６−１８４９５８号公報
【発明の開示】
【０００４】
しかしながら、前述した捺染方法では、パイル糸特有の図柄を形成することはできるが、図柄中の色や形の境界部が明確に出るため、図柄に立体感を出したり、ぼかしたりすることはできないという問題が生じていた。
本発明は、このような問題に対処するためになされたもので、その目的は、図柄に立体感や、ぼかしを入れることのできるパイル織物地を提供することである。
【０００５】
前記目的を達成するため、本発明に係るパイル織物地の構成上の特徴は、たて糸によこ糸を浮沈させながら交錯させた地組織にパイル糸を絡ませて生地を構成し、その生地に所定の染料を用いて捺染することにより図柄を形成したパイル織物地であって、染料を、たて糸とよこ糸とに対して染色性を有し、パイル糸に対しては染色性を有しないもので構成したことにある。
【０００６】
前記のように構成した本発明に係るパイル織物地によれば、たて糸とよこ糸とからなる地組織を、使用される所定の染料による染色が可能な糸で構成し、パイル糸を所定の染料によっては染色されない糸で構成している。したがって、このパイル織物地に所定の染料を用いて捺染処理することにより図柄を形成すると、染色された地組織の表面を覆うようにして設けられたパイル糸は染色されず原糸の色に維持される。この結果、地組織に形成された図柄はパイル糸によって覆われぼかしが入ったような状態になる。また、図柄にはパイル糸によって隠れた部分とパイル糸の隙間を介して表面に現れる部分とが生じ、これによって立体感が出るようになる。また、この場合、捺染方法としては、スクリーン捺染法やジェット捺染法を用いることができる。これによって、安価な捺染方法でパイル織物地を得ることができる。
【０００７】
また、本発明に係るパイル織物地の他の構成上の特徴は、たて糸とよこ糸とをポリエステル繊維で構成するとともに、パイル糸を綿で構成し、染料を分散染料で構成したことにある。これによると、たて糸とよこ糸とは分散染料によって、所定の図柄に染色され、パイル糸は染色されることなく、地組織の図柄をうっすらと覆って隠した状態になり好ましい風合いを有するぼかしが入った図柄が形成される。
【０００８】
また、本発明に係るパイル織物地のさらに他の構成上の特徴は、たて糸またはよこ糸を、染料によって染色される繊維と染料されない繊維とを混紡した糸で構成したことにある。これによると、たて糸またはよこ糸の一方が染料によってはっきりと染色され、他方がぼんやりと染色される。そして、パイル糸は染色されず原糸の色を維持する。したがって、図柄を構成する色がさらに複雑に絡まって興趣に富む図柄の形成が可能になる。この場合、染色される繊維と染色されない繊維との比率は、５０：５０や６５：３５等種々の比率に設定することができ、この比率によって、図柄のぼかし加減を調節することができる。また、パイル糸は、たて糸と平行に設けてもよいし、よこ糸と平行に設けてもよい。
【０００９】
また、本発明に係るパイル織物地のさらに他の構成上の特徴は、パイル糸をよこ糸と同方向に設けられた綿糸で構成し、たて糸をポリエステル繊維と綿とを混紡した糸で構成するとともに、よこ糸をポリエステル繊維で構成し、染料を分散染料で構成したことにある。
【００１０】
これによると、たて糸がぼんやりと染色され、そのたて糸に直交してはっきりと染色されたよこ糸と、パイル糸が配置するようになる。また、パイル糸は、よこ糸に平行しながらたて糸とよこ糸とを部分的に覆うようになる。これによって、より優れた立体感やぼんやり感をかもし出させることができる。この場合のパイル糸とよこ糸との比率は、１：１、２：１または３：１など任意の比率に設定することができる。よこ糸に対するパイル糸の量はよこ糸と略同じかよこ糸よりも多くすることが好ましく、この比率を変化させることによっても、図柄のぼかしや立体感の加減を調節することができる。
【００１１】
また、本発明に係るパイル織物地のさらに他の構成上の特徴は、パイル糸が防水加工を施されて染色性を失ったものであることにある。これによると、パイル糸として、所定の染料に対する染色性を有するものを使用しても、パイル糸が染色されないようにすることができる。これによっても、前述したパイル織物地と同様のパイル織物地を得ることができる。
【発明を実施するための最良の形態】
【００１２】
以下、本発明の一実施形態に係るパイル織物地を図面を用いて説明する。図１は同実施形態に係るパイル織物地１０の表面を示している。このパイル織物地１０は、表面に格子模様の図柄１１が形成された織物地であり、被服やカーテン等、種々の用途の布地として使用される。この格子模様の図柄１１は、地組織（図２参照）１５に形成されており、その表面に形成された後述するパイル糸１６によって覆われてぼかしが入ったような状態になっている。
【００１３】
このパイル織物地１０は、製織装置（図示せず）を用いて製織され、製織に際しては下記の各工程が行われる。まず、たて糸に製織をし易くするための糊を塗布し、そのたて糸を製織装置に取り付ける。ついで、たて糸に地よこ糸とパイル糸を織り込む織布工程、パイル織物地特有の凹凸感を出すための仕上げ工程の各工程が行われる。そして、得られた織物組織に、染色、縫製等の各工程による処理が行われる。また、必要に応じて、織布工程ののちにパイル糸を切断するカッティング工程を設ける。
【００１４】
織布工程において得られる生地は、図２に示したような構造からなっている。図２は、生地１２の断面の一部を示しており、この生地１２においては、一定間隔で並べられた複数のたて糸１３に直交し、そのたて糸１３の表裏に対して交互に浮沈しながら、よこ糸１４が織り込まれている。このたて糸１３とよこ糸１４とで地組織１５が構成されている。そして、地組織１５のたて糸１３に、さらにたて糸１３の表裏に対して浮沈しながらパイル糸１６が織り込まれて生地１２が構成されている。
【００１５】
パイル糸１６は、１本のよこ糸１４に対して２本使用されており、よこ糸１４，１４間に２本が平行して織り込まれている。また、パイル糸１６は、地組織１５の上面に浮き立つようにしてたて糸１３に絡んでおり、これによって、生地１２に立体感がかもし出されている。たて糸１３は、ポリエステル繊維と綿とを混紡した糸で構成されており、ポリエステル繊維と綿との重量比率は、６５：３５に設定されている。よこ糸１４はポリエステル繊維が１００％の糸で構成されている。また、パイル糸１６は綿が１００％の糸で構成されている
【００１６】
このようにして得られた生地１２には、仕上げ工程において、精錬、漂白、起毛、剪毛等の仕上げ加工が必要に応じて行われる。精錬は、繊維に含まれている不純物や織布工程において付着した糊や油などを除く処理であり、漂白は、繊維中に含まれる色素を除去して白色にする処理である。また、起毛は、織物の表面を起毛機にかけて毛羽を掻き起こす処理であり、剪毛は、起毛した織物を剪毛機にかけて毛羽を一定の長さに揃えて刈る処理である。これらの処理によって、表面が規則正しい凹凸面に形成された生地１２が得られる。また、必要に応じて、パイル糸１６の突出部の頂部を切断する。これによって生地１２の表面に凹凸模様を表すことができる。
【００１７】
そして、この生地１２に染料を用いた捺染処理が行われる。この捺染処理は、例えば、図３に示した捺染機２０を用いて行うことができる。捺染機２０は、生地１２を送るためのドラム２１と、周面に図柄１１の格子模様が彫られ生地１２を介してドラム２１に当接するロール２２と、ドラム２１とでロール２２を挟むように設置されロール２２と周面同士が接触するロール２３とを備えている。そして、ロール２３の下部側には、染料２４を収容する染料容器２５が設けられており、この染料容器２５内の染料２４にロール２３の下部側部分が浸かっている。また、ロール２２の周面の回転方向におけるロール２３と接触する部分よりも下流側部分でかつドラム２１に対向する部分よりも上流側部分に、金属板２６が縁部をロール２２に接触させた状態で取り付けられている。
【００１８】
このため、ロール２３が回転することにより、染料容器２５内の染料２４がロール２３の周面に付着し、そのロール２３の周面にロール２２の周面が接触して染料２４がロール２２の周面に付着する。そして、ロール２２の周面に付着した染料２４のうちの余分な部分（ロール２２の周面における平滑な部分に付着した染料２４）は、回転するロール２２の周面に金属板２６の縁部が摺接することによって掻き落とされる。したがって、ロール２２の周面においては、図柄１１として彫られた格子模様の凹部の部分にだけ染料２４が付着する。
【００１９】
そして、ロール２２の周面がドラム２１を介して送られてくる生地１２をドラム２１側に押し付けることによって、凹部に付着する染料２４を生地１２に転写させる。また、生地１２を染色するための色を複数色にする場合には、ドラム２１の周面に、他の色を染色するための染料２４が収容された染料容器２５、ロール２２，２３および金属板２６をそれぞれ色の数だけ配置させる。これによって、複数の色が染色されたパイル織物地１０が得られる。
【００２０】
この場合、染料２４としては、分散染料を使用する。この分散染料は、ポリエステル繊維を染色でき、綿を染色できない特性を有するため、地組織１５は染色され、パイル糸１６は染色されない。また、地組織１５を構成するたて糸１３とよこ糸１４のうち、たて糸１３はポリエステル繊維と綿が６５：３５の割合で構成されているため薄い色に染色され、よこ糸はポリエステル繊維のみで構成されているため濃い色に染色される。そして、パイル糸１６は、地組織１５の表面を覆うようにして地組織１５に絡んでいるため、パイル織物地１０に形成される図柄１１は、ぼかしが入ったようになるとともに立体感を感じさせるものとなる。そして、この表面に図柄１１が形成されたパイル織物地１０は、縫製によって所定の形状に加工される。
【００２１】
このように、このパイル織物地１０の表面には格子模様からなる図柄１１が立体的かつぼかしたように形成されているため、デザイン的にも優れたものとなり実用的効果は大である。また、生地１２に対する捺染は、前述したドラム２１やロール２２，２３を用いた捺染機２０を用いて行うため、安価でかつ効率よく行える。
【００２２】
また、このパイル織物地１０では、たて糸１３をポリエステル繊維と綿とを混紡した糸で構成しているため、たて糸１３をよこ糸１４よりも薄い色に染色することができる。これにより、濃い色に染色されるよこ糸１４と、薄く染色されるたて糸１３とで地組織１５が形成され、その地組織１５の上面を染色されていないパイル糸１６が覆うようになり、より優れた立体感やぼんやり感をかもし出させることができる。
【００２３】
また、本発明に係るパイル織物地の他の実施形態として、例えば、パイル糸をポリエステル繊維で構成するとともに、そのパイル糸に防水加工を施して染色できなくすることもできる。また、たて糸としても混紡した糸でなく１００％ポリエステル繊維からなる糸を用いることができる。これによると、たて糸、よこ糸およびパイル糸として、同じ繊維からなる糸を使用することができる。また、同じ繊維からなる糸を使用しても、パイル糸が染色されないようにすることができるため、前述したパイル織物地１０と同様の風合いを備えたパイル織物地を得ることができる。
【００２４】
なお、本発明によるパイル織物地１０は、前述したものに限定するものでなく、適宜変更することができる。例えば、前述した実施形態では、各糸を構成する材料としてポリエステル繊維と綿を使用し、染料２４として分散染料を使用しているが、ポリエステル繊維に代えてアクリル繊維を使用し、分散染料に代えて塩基性染料を使用することもできる。塩基性染料は、アクリル繊維を染色でき、綿糸を染色できないため、これによっても、前述したパイル織物地１０と同様の図柄を備えたパイル織物地を得ることができる。
【００２５】
また、前述したパイル織物地１０では、パイル糸１６とよこ糸１４との比率を２：１としているが、この比率は、１：１または３：１等の他の比率に変更することができる。この場合、パイル糸１６の比率を大きくするほど図柄１１はぼんやりとした状態になり、パイル糸１６の比率を小さくするほど図柄１１は明確になる。また、たて糸１３を構成するポリエステル繊維と綿との比率も６５：３５に限らず他の比率にすることができる。この場合、ポリエステル繊維の比率を大きくするほどたて糸１３の色は濃くなり、ポリエステル繊維の比率を小さくするほどたて糸１３の色は薄くなる。
【００２６】
また、前述したパイル織物地１０では、パイル糸１６をよこ糸１４と平行して設けているが、このパイル糸１６はたて糸１３と平行して設けてもよい。さらに、前述したパイル織物地１０では、たて糸１３をポリエステル繊維と綿とを混紡した糸で構成しているが、よこ糸１４をポリエステル繊維と綿とを混紡した糸で構成することもできる。この場合、たて糸１３をポリエステル繊維で構成する。これによっても、前述したパイル織物地１０と同様の図柄を備えたパイル織物地を得ることができる。また、捺染機としても前述した捺染機２０に限らず他の装置や他の捺染方法を用いることができる。
【図面の簡単な説明】
【００２７】
【図１】本発明の一実施形態によるパイル織物地を示す平面図である。
【図２】たて糸によこ糸とパイル糸を織り込んだ状態を示す断面図である。
【図３】捺染機の概略を示す構成図である。
【符号の説明】
【００２８】
１０…パイル織物地、１１…図柄、１２…生地、１３…たて糸、１４…よこ糸、１５…地組織、１６…パイルよこ糸、２４…染料。
【図１】
2005076156.tif 000003
【図２】
2005076156.tif 000004
【図３】
2005076156.tif 000005